(57)【要約】【課題】複数の傘を用いればドームを形成することのできる連結可能な傘と、連結可能な傘を利用した構造体及び構造体の形成方法を提供する。【解決手段】複数連結可能な傘Ｋにおいて、六つの外周辺からなる平面視六角形状をした布体１０と、この布体の外周各辺のうちの一つおきに形成されたフラップ２０と、この布体１０の中心に形成された頂点部３０と、頂点部３０を支持する支柱４０と、頂点部３０から外周に向けて配設された親骨５０と、一端を親骨５０の途中で可動可能に配設され他端を支柱４０と摺動可能に配設された小骨６０と、支柱４０と着脱可能に配置されたセンターシャフト７０と、布体１０及びフラップ２０の外周に配設された連結可能な止水ジッパー８０と、親骨５０の頂点部３０と反対側の端部に配設された露先９０と、を備え、フラップ２０は、内側に折り畳み可能で、折り畳まれた状態で傘Ｋとして使用可能に形成されている。【選択図】図２
2009279207.tif 000002
【特許請求の範囲】
【請求項１】
複数連結可能な傘において、
六つの外周辺からなる平面視六角形状をした布体と、
該布体の外周各辺のうちの一つおきに形成されたフラップと、
前記布体の中心に形成された頂点部と、
頂点部を支持する支柱と、
頂点部から外周に向けて配設された親骨と、
一端を親骨の途中で可動可能に配設され、他端を前記支柱と摺動可能に配設された小骨と、
前記支柱と着脱可能に配置されたセンターシャフトと、
前記布体及びフラップの外周に配設された連結可能な止水手段（止水ファスナー）と、
前記親骨の頂点部と反対側の端部に配設された露先と、
を備え、
前記フラップは、内側に折り畳み可能であり、折り畳まれた状態で傘として使用可能に形成されていることを特徴とする連結可能な傘。
【請求項２】
前記傘を開いたときにセンターシャフトと布体との角度が６０°であり、露先における布体と水平面との角度が３０°であることを特徴とする請求項１記載の連結可能な傘。
【請求項３】
前記小骨と親骨との配設位置は、頂点部から露先の距離において、概略２：１近傍位置で連結されていることを特徴とする請求項１記載の連結可能な傘。
【請求項４】
前記フラップは前記布体の外周各辺の長さの８２〜８７％の範囲であることを特徴とする請求項１記載の連結可能な傘。
【請求項５】
前記露先にジョイント部材を配設し、該ジョイント部材を介して補強骨を連結してなることを特徴とする請求項１記載の連結可能な傘。
【請求項６】
前記センターシャフト内には、補強骨が収容されてなることを特徴とする請求項１記載の連結可能な傘。
【請求項７】
前記請求項１乃至６の連結可能な傘を利用した構造体であって、複数の連結可能な傘に配設された前記止水手段を連結してドーム状に形成したことを特徴とする連結可能な傘を利用した構造体。
【請求項８】
前記布体の六角形と各フラップを連結して五角形とし、サッカーボールの構造とほぼ同じ構造をした請求項７記載の連結可能な傘を利用した構造体。
【請求項９】
前記五角形は、平面になるように形成されてなることを特徴とする請求項８記載の連結可能な傘を利用した構造体。
【請求項１０】
前記構造体には、床面部が連結されてなることを特徴とする請求項７記載の連結可能な傘を利用した構造体。
【請求項１１】
前記床面部は、角形をした外周辺の一つ置きに、三角形状のフラップを配設し、これらの外周に止水手段を設け、該止水手段と前記傘の止水手段とを連結して形成されたことを特徴とする請求項１０記載の連結可能な傘を利用した構造体。
【請求項１２】
前記床面に配設されたフラップは異なる傘と接合され、各フラップの頂点が五角形の中心となることを特徴とする請求項１１記載の連結可能な傘を利用した構造体。
【請求項１３】
前記請求項１乃至６の連結可能な傘を利用した構造体の形成方法であって、
折り畳まれたフラップを開放する開放工程と、
前記センターシャフトを支柱から取り外す取外工程と、
両側にフラップが位置する状態で、傘を止水手段によって連結する連結工程と、
前記連結工程を１５回繰り返し、正二十面体とする面体形成工程と、
を備えたことを特徴とする構造体の形成方法。
【請求項１４】
前記請求項１３の工程に加えて、露先と露先の間に補強骨を配設する補強骨配設工程を備えたことを特徴とする請求項１３の構造体の形成方法。
【発明の詳細な説明】
【技術分野】
【０００１】
本発明は、連結可能な傘及び該傘を利用した構造体並びに構造体の形成方法に係り、特に簡単に構造体を構成することが可能な連結可能な傘及び該傘を利用した構造体並びに構造体の形成方法に関する。
【背景技術】
【０００２】
従来から、傘状のものを複数連結するものが提案されている（特許文献１、２）。
【０００３】
特許文献１で示される技術は、傘の各辺の布地のさがりの部分に接続具を取り付けたビーチパラソルを作成し、複数を連結して設置する事により、人数、目的、状況に応じて、日陰の広さ、形を変化させ、また、配置、デザイン等も多様化出来るようにすることで、ビーチパラソルの使用価値をより高いものにするものであり、その構成はビーチパラソルの傘の各辺の布地のさがりの部分に接続具を取り付ける技術である。
【０００４】
特許文献２で示される技術は、パラソルは、隣どうしで並べて行くと一つの優雅な構造物となること、パラソルはいつでも一つ一つで使う事もできるし、他のフォーメーションにして纏めることもできること、いくつか隣同士に並べて使う時にそれぞれを機械的に結合すれば、風の影響も少なく、大きな、いくつかが一緒にぶら下がった形になり、しかも雨水をしのげる大きな利用表面とする事ができること（段落００４５）、パラソルは、グループ化すると一つの優雅な構造物となり、雨が降っても雨水の大部分は外側に排出され、パラソルはいつでも一つ一つで使う事もできる（段落００４６）が開示されている。
【０００５】
【特許文献１】実開平７−４３３０１（請求項１、図１乃至４）
【特許文献２】特表２００６−５２１８５０（請求項３５，３６、段落００４５，００４６、図３５、３６）
【発明の開示】
【発明が解決しようとする課題】
【０００６】
しかしながら、特許文献１では、単に傘の各辺の布地のさがりの部分に接続具を取り付けたものである。従って、持ち歩きをする傘ではなく、常に地面上で固定して使用される傘であり、構造体を形成するための構成を備えておらず、単に接続して上面を覆う技術である。
【０００７】
また、特許文献２に記載の技術では、折り畳み、広げられ、雨が降っても雨水を外側に排出でき、帆布面を張ってもその下の視界が妨げられない様なパラソルの構造を作り出す事にあり、このため、帆布面を広げて張るアームが帆布面の上部のみに位置し、帆布面を突き抜けないようにすることにある。この技術では、グループ化すると一つの優雅な構造物となることが示されていても、常に帆布面を広げて張るアームが帆布面の上部のみの位置にあるため、複数の傘を使用してドームを構成するための構成を備えていないものである。
【０００８】
本発明の目的は、複数の傘を用いればドームを形成することのできる連結可能な傘を提供することにある。
本発明の他の目的は、連結可能な傘を利用した構造体及び構造体の形成方法を提供することにある。
【課題を解決するための手段】
【０００９】
前記課題は、請求項１の連結可能な傘によれば、複数連結可能な傘において、六つの外周辺からなる平面視六角形状をした布体と、該布体の外周各辺のうちの一つおきに形成されたフラップと、前記布体の中心に形成された頂点部と、頂点部を支持する支柱と、頂点部から外周に向けて配設された親骨と、一端を親骨の途中で可動可能に配設され、他端を前記支柱と摺動可能に配設された小骨と、前記支柱と着脱可能に配置されたセンターシャフトと、前記布体及びフラップの外周に配設された連結可能な止水手段と、前記親骨の頂点部と反対側の端部に配設された露先と、を備え、前記フラップは、内側に折り畳み可能であり、折り畳まれた状態で傘として使用可能に形成されていること、により解決される。
【００１０】
以上のように、フラップを折り畳み可能としているため、１本の傘としての使用において、邪魔にならずに、通常の傘と同様に使用することが可能であり、連結可能であるにも拘らず、１本の傘として、外観上、通常の傘と同様なものとなる。また、前記布体及びフラップの外周に配設された連結可能な止水手段によって、他の傘と連結される。
【００１１】
このとき、前記傘を開いたときにセンターシャフトと布体との角度が６０°であり、露先における布体と水平面との角度が３０°であると好適である。このような構造にすることにより、構造強度が維持されることになる。よって風雨などの外圧によっても、十分に耐えられることになる。
【００１２】
このとき、前記小骨と親骨との配設位置は、頂点部から露先の距離において、概略２：１近傍位置で連結されていると好適であり、通常の傘が、頂点部側の位置で小骨と接合している場合に比して、大きな構造上の強度を得られることが可能となる。
【００１３】
前記フラップは、布体の外周各辺の長さの８２〜８７％の範囲であると好適である。このような範囲にすることにより、布体とフラップの素材の違いによる伸びや連結において、スムーズに行うことが可能であると共に、構造体を形成するときに、構造体に緩みが生じるのを防止することが可能となる。
【００１４】
前記露先にジョイント部材を配設し、このジョイント部材を介して補強骨を連結すると、より好適である。このように補強骨を使用することにより、布体同士の連結間で強度を確保でき、より構造上の強度を確保することが可能となる。
【００１５】
また、センターシャフト内には、補強骨が収容されていると好適である。このように補強骨がセンターシャフト内に収容できるために、必要な補強骨を傘以外から別途用意することがなく、強度を確保した構造体を形成することが可能となる。
【００１６】
前記課題は、請求項７の連結可能な傘を利用した構造体によれば、前記請求項１乃至６の連結可能な傘を利用した構造体であって、複数の連結可能な傘に配設された前記止水手段を連結してドーム状に形成したこと、により解決される。
【００１７】
本発明の構造体は、布体の六角形と各フラップを連結して五角形とし、サッカーボールの構造とほぼ同じ構造をしているので、その形状が優雅となり、構造物としても、外観が良好な構造体となる。
【００１８】
なお、前記五角形は、平面になるように形成されていると好適である。このように五角形が平面となることにより、飛び出た形状の六角形との間で、緊張させることが可能となり、強度を維持し同時に外観上、良好な構造体とすることが可能となる。
【００１９】
前記構造体には、床面部が連結されていると、好適である。特に、前記床面部は、角形をした外周辺の一つ置きに、三角形状のフラップを配設し、これらの外周に止水手段を設け、該止水手段と前記傘の止水手段とを連結して形成されることが好ましい。
このように床面部が形成されていることにより、屋外で使用しても、床面からの水の浸入や虫等が入り込むのを防止することが可能となる。
【００２０】
前記床面に配設されたフラップは異なる傘と接合され、各フラップの頂点が五角形の中心となるように構成することが好ましい。このように形成することにより、飛び出た形状の六角形との間で、緊張させることが可能となり、強度を維持し同時に外観上、良好な構造体とすることが可能となる。
【００２１】
前記課題は、請求項１３の構造体の形成方法によれば、前記請求項１乃至６の連結可能な傘を利用した構造体の形成方法であって、折り畳まれたフラップを開放する開放工程と、前記センターシャフトを支柱から取り外す取外工程と、両側にフラップが位置する状態で、傘を止水手段によって連結する連結工程と、前記連結工程を１５回繰り返し、正二十面体とする面体形成工程と、を備えたこと、により解決される。また、上記工程に加えて、露先と露先の間に補強骨を配設する補強骨配設工程を備えると好適である。
本発明の構造体の形成方法により、前述した構造体を形成することが可能となる。
【発明の効果】
【００２２】
本発明の連結可能な傘は１本の傘として、外観上、通常の傘と同様なものとなる。また本発明の連結可能な傘を用いることにより、構造強度が維持され、風雨などの外圧によっても、十分に耐えられる構造体を形成することが可能となる。
【００２３】
また本発明の構造体は、布体の六角形と各フラップを連結して五角形とし、サッカーボールの構造とほぼ同じ構造をしているので、その形状が優雅となり、構造物としても、外観が良好な構造体となる。
また、床面部を形成すると、屋外で使用しても、床面からの水の浸入や虫等が入り込むのを防止することが可能となる。
【発明を実施するための最良の形態】
【００２４】
以下、本発明の一実施形態を図面に基づいて説明する。なお、以下に説明する部材，配置等は本発明を限定するものでなく、本発明の趣旨の範囲内で種々改変することができるものである。
図は本発明の実施形態を示すものであり、図１は傘を構成する布体の平面図、図２は傘の説明断面図、図３は構造体に用いる床体の説明図、図４は傘の使用状態を示す説明図、図５は構造体の全体の説明図である。図６乃至図１４は傘から構造体を形成ときを示すものであり、図６は傘の結合状態の説明図、図７は傘の説明図、図８及び図９は構造体を形成するための説明図、図１０はセンターシャフトの着脱の説明図、図１１は補強骨のセンターシャフト内に収納状態を示す部分説明図、図１２は露先のジョイント状態の説明図、図１３は図１２の部分拡大図、図１４は止水手段の部分拡大図である。また、図１５は構造体を示す説明図、図１６は構造体を示す平面から見た説明図である。
【００２５】
本明細書において、傘Ｋの布体１０とは、正三角形に内接する六角形をした形状のものをいう。この六角形の部分は傘Ｋの上面となるので、突き出る形となる。そして、正三角形に内接する六角形以外の周りに余る三つの三角形はフラップ２０と称する。このフラップ２０が五つ集まって、平面状の五角形を形成している。
また、本明細書において、ドームとは、上記布体を用いた傘を１５本集めて接合して形成されるもので、ドームとは、正二十面体（２０個の正三角形で構成される立体）の１５個の正三角形が組みあがったものである。
したがって、布体１０とフラップ２０の接合により、六角形と五角形による、サッカーボールの持つ構造とほぼ同じ構造体Ｓを構成しているものである。
【００２６】
本発明の連結可能な傘Ｋは、単体では図１及び図２で示すように、布体１０と、フラップ２０と、頂点部３０と、支柱４０と、親骨５０と、小骨６０と、センターシャフト７０と、止水手段としての止水ジッパー８０と、露先９０と、を主要構成要素としている。本発明では構造体Ｓ（例えばドーム）となったときに、傘Ｋの骨にかかる力学的負担を構造計算し、その対策をしているため、普通の傘とは異なるものである。
【００２７】
本例の布体１０は、図１で示すように、六つの外周辺からなる中心が飛び出た六角形状をしている。布体１０は、防水性のものであり、その素材は特に特定されるものではない。そして、この布体１０には、連続してフラップ２０が形成されている。
【００２８】
本例のフラップ２０は、図１で示すように、前記した布体１０の外周各辺のうち、一つおきに形成されているものである。またこのフラップ２０の形状は、五角形が平面になるように調整されている。このフラップ２０は、傘Ｋとして使用した場合に、六角形の辺を境に布体１０の内側に折り畳み可能であり、折り畳まれた状態で傘Ｋとして使用可能になっている。この布体１０に連続されたフラップ２０は、折り畳まれた状態で、垂下しないように、布体１０と面状ファスナーやホックなど係止手段（図示せず）によって、布体１０の内側に保持されている。図１の点線部は折りたたんだ状態である。
【００２９】
本例のフラップ２０は、布体１０の外周各辺の長さの８２〜８７％の範囲で形成されており、このような布体１０とフラップ２０との関係にすることにより、適宜選択した布体１０とフラップ２０の素材の違いによる伸びや構造体Ｓを形成するときの連結において、スムーズに行うことが可能である。また構造体Ｓを形成するときに、構造体Ｓに緩みが生じるのを防止することが可能となる。
【００３０】
布体１０の中心は、頂点部３０となっており、本例の頂点部３０は、布体１０の中心に、公知の傘と同様に石突が形成されている。但し、この石突は形成しないものであってもよい。そして、本例の頂点部３０は、公知の傘と同様に、傘Ｋの内側で支柱４０によって支持されている。この支柱４０の先端を、飛び出させて、前述した石突と兼用して形成してもよい。
【００３１】
本例の支柱４０は、図２で示すように、通常の傘で使用される構造であり、傘Ｋを開いたときに、布体１０が位置する下側の位置より少し長めに形成されており、布体１０の中心に位置して後述する親骨５０を保持できるようになっている。親骨５０は、この支柱４０の上部から外方に向けて配設されている。そして、親骨５０の先端には、露先９０が配設されている。本例の親骨５０は、頂点部３０から外周に向けて配設されもので、本例では鉄製のものを使用している。また、親骨５０と支柱４０との間には、後述する小骨６０が形成されている。
【００３２】
本例の露先９０は、親骨５０の頂点部３０と反対側の端部に配設されたものである。この露先９０には、図１２及び図１３で示すように、補強用の補強骨１００と露先９０がジョイント部材によって連結可能になっている。本実施形態では、図８で示すように、補強骨１００が６つ配設されている。つまり、露先９０と露先９０の間に補強骨１００を入れることで構造を強くしている。本例の露先９０のジョイント部材は、図１３で示すように、通常の傘のそれより穴が２つ多く、合計３つ備えており、中央に親骨５０の先端にある露先９０とジョイント係合孔と、この係合孔の両側に形成された補強骨１００の係合孔が形成されている。
【００３３】
本例の小骨６０は、図２で示すように、一端を親骨５０の途中で、連結軸で回動可能に軸支され、他端を前記支柱４０と摺動可能に配設されている。この構造は、従来公知の傘の親骨５０と小骨６０と支柱４０との関係と同様である。
従来公知の技術と異なるのは、本実施形態では、強度上から親骨５０と小骨６０とは、同じ径の鉄製パイプ状のものを用いていること、親骨５０と小骨６０との連結位置にあることである。
【００３４】
つまり、本実施形態では、親骨５０と小骨６０との配設位置は、頂点部３０から露先９０の距離において、概略２：１近傍位置で連結されている。これは、通常の傘が、頂点部３０側の位置で小骨６０と接合している場合に比して、大きな構造上の強度を得られることが可能となる。また同様に、構造計算によって、傘Ｋが開いたときに、支柱４０と親骨５０との角度を６０°としている。
【００３５】
本例の支柱４０にはセンターシャフト７０が着脱可能に配設されている。そして傘Ｋを開いたときに、センターシャフト７０と布体１０との角度が、前記支柱４０と布体１０との角度と同様に６０°であり、露先９０における布体１０と水平面との角度が３０°にして形成してある。このような構造にすることにより、構造強度が維持されることになる。よって風雨などの外圧によっても、十分に耐えられることになる。本例のセンターシャフト７０と支柱４０と着脱は、ねじ式で螺合するようにしてもよいし、嵌合によって着脱可能に形成することもできる。嵌合の場合には、センターシャフト７０と支柱４０のどちらか一方に凹部（或いは穴）を形成し、他方に凸部（突起）などを形成し、この凸部（突起）が飛び出し可能とし、凹部と凸部が係合可能なように形成されている。
【００３６】
また、本実施形態では、センターシャフト７０は中空のパイプ体となっており、この中空部分には、補強骨１００が６本収容されている。本実施形態では、図示しないが、この螺合の箇所より下方に蓋体となった部分を形成し、この蓋体でセンターシャフト７０の中空部分を連結している。そして、蓋体を取り外して、センターシャフト７０内の補強骨１００を取り出し、収納可能となっている。
【００３７】
なお、本実施形態では蓋体を形成しているが、支柱４０とセンターシャフト７０の螺合によって中空の部分の蓋とすることもできる。
このように補強骨１００がセンターシャフト７０内に収容できるために、必要な補強骨を傘Ｋ以外から別途用意することがなく、強度を確保した構造体Ｓを形成することが可能となる。また補強骨１００の連結は露先９０で行うが、詳細は後述する。
【００３８】
本例の止水手段は、図１４で示すような、布体１０及びフラップ２０の外周に配設された連結可能な止水ジッパー８０で行っている。本例の止水ジッパー８０は、雌雄が特定されない両用のものを用いることが好適であり、スライダーは、止水ジッパー８０の適宜箇所に設けておくことが可能である。このようにすると、止水ジッパー８０の配設箇所によって連結が困難になることを防止することが可能となる。また止水ジッパー８０は防水ジッパーなどを採用することによって、耐水性の屋根として使うことが可能である。また、止水ジッパー８０の端部を長めに残すことで、雨漏り等を解決している。
【００３９】
以上のように、フラップ２０を折り畳み可能としているため、１本の傘Ｋとしての使用において、邪魔にならずに、通常の傘と同様に使用することが可能であり、連結可能であるにも拘らず、１本の傘Ｋとして、外観上、通常の傘と同様なものとなる。また、布体１０及びフラップ２０の外周に配設された連結可能な止水手段によって、他の傘Ｋと連結される。
【００４０】
次に、上記した連結可能な傘Ｋを複数利用することができる。この構造体Ｓは、連結可能な傘Ｋを利用した構造体Ｓであり、複数の連結可能な傘Ｋに配設された前記止水手段を連結してドーム状に形成したものである。
【００４１】
本発明の構造体Ｓは、布体１０の六角形と各フラップ２０を連結して五角形とし、サッカーボールの構造とほぼ同じ構造をしているので、その形状が優雅となり、構造物としても、外観が良好な構造体Ｓとなる。
【００４２】
なお、本実施形態の五角形は、平面になるように形成されている。このように五角形が平面となることにより、飛び出た形状の六角形との間で、緊張させることが可能となり、強度を維持し同時に外観上、良好な構造体Ｓとすることが可能となる。また、図５で示すように、本実施形態では、入り口となる、開口部が形成されている。
【００４３】
本実施形態の構造体Ｓには、床面部が連結されている。この床面部には、角形をした外周辺の一つ置きに、三角形状のフラップ２０を配設している。本例では図３で示すように、５つの小さなフラップ２０がついたものである。ＡＢＣＤＥ各頂点は、五角形の中心となる。そして、これらの外周辺に止水手段である止水ジッパー８０を設けている。この止水ジッパー８０と傘Ｋの止水ジッパー８０とを連結して形成されている。
【００４４】
床面に配設されたフラップ２０は、異なる傘Ｋと接合され、各フラップ２０の頂点が五角形の中心となるように構成される。このように形成することにより、飛び出た形状の六角形との間で、緊張させることが可能となり、強度を維持し同時に外観上、良好な構造体Ｓとすることが可能となる。このように床面部が形成されていることにより、屋外で使用しても、床面からの水の浸入や虫等が入り込むのを防止することが可能となる。
【００４５】
次に、構造体Ｓの形成方法について説明する。構造体Ｓは、既に説明した連結可能な傘Ｋを利用したものである。本実施形態の構造体Ｓの形成方法は、開放工程と、取外工程と、連結工程と、面体形成工程と、補強骨配設工程と、を備えている。
【００４６】
先ず開放工程では、傘Ｋの布体１０の先端側に連続して折り畳まれたフラップ２０を開放する（開放工程）。これにより、図１及び図２、図６のように、六角形の外側に３箇所のフラップ２０が開放され、平面視で概略正三角形の形状となる。
【００４７】
次にセンターシャフト７０を支柱４０から取り外す取外工程を行う。センターシャフト７０と支柱４０とは、図１０で示すように、螺合されているので、ねじを連結と逆方向に回動することにより、取り外しが可能となる。
次に、露先９０と露先９０の間に補強骨１００を配設する補強骨配設工程を行う。これは、センターシャフト７０内には補強骨１００が収容されているので、この補強骨１００を取り出し、ジョイント部材を露先９０に連結する。そして、周囲の露先９０に配設されたジョイント部材に補強骨１００を連結して、傘Ｋと傘Ｋとの連結における強度を確保している。
【００４８】
次に、連結工程を行う。この連結工程では、両側にフラップ２０が位置する状態にして、傘Ｋ同士を止水ジッパー８０によって連結する。そして、この連結工程を１５回繰り返し正二十面体とする面体形成工程を行う。つまり、本実施形態では連結工程を１５回繰り返したものが、面形成工程である。以上のようにして、前述した構造体Ｓを形成することが可能となる。
なお上記実施形態では、取外工程を連結工程より先に行っているが、連結工程を先に行い、取外工程を後にしたり、或いは、取外工程と連結工程を適宜、入れ替えてもよい。
【図面の簡単な説明】
【００４９】
【図１】本発明に係る傘を構成する布体の平面図である。
【図２】本発明の傘の説明断面図である。
【図３】本発明の構造体に用いる床体の説明図である。
【図４】本発明に係る傘の使用状態を示す説明図である。
【図５】本発明に係る構造体の全体の説明図である。
【図６】本発明に係る傘の結合状態の説明図である。
【図７】本発明に係る傘の説明図である。
【図８】本発明に係る構造体を形成するための説明図である。
【図９】本発明に係る構造体を形成するための説明図である。
【図１０】センターシャフトの着脱の説明図である。
【図１１】補強骨のセンターシャフト内に収納状態を示す部分説明図である。
【図１２】露先のジョイント状態の説明図である。
【図１３】図１２の部分拡大図である。
【図１４】止水手段の部分拡大図である。
【図１５】構造体を示す説明図である。
【図１６】構造体を示す平面から見た説明図である。
【符号の説明】
【００５０】
１０    布体
２０    フラップ
３０    頂点部
４０    支柱
５０    親骨
６０    小骨
７０    センターシャフト
８０    止水ジッパー（止水手段）
９０    露先
１００  補強骨
Ｋ      傘
Ｓ      構造体
【図１】
2009279207.tif 000003
【図２】
2009279207.tif 000004
【図３】
2009279207.tif 000005
【図４】
2009279207.tif 000006
【図５】
2009279207.tif 000007
【図６】
2009279207.tif 000008
【図７】
2009279207.tif 000009
【図８】
2009279207.tif 000010
【図９】
2009279207.tif 000011
【図１０】
2009279207.tif 000012
【図１１】
2009279207.tif 000013
【図１２】
2009279207.tif 000014
【図１３】
2009279207.tif 000015
【図１４】
2009279207.tif 000016
【図１５】
2009279207.tif 000017
【図１６】
2009279207.tif 000018